【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
複数のノードのうちの少なくともいくつかが無線ネットワークに参加することを可能にする方法であって、前記複数のノードの各々は、前記ネットワークの無線ネットワーキングプロトコルに従って動作するよう構成され、前記複数のノードの各々は、照明システムのコンポーネントデバイスであり、前記複数のノードのうちの少なくともいくつかは、照明源を備え、当該方法によれば、
開始ユニットは、前記無線ネットワーキングプロトコルを使用してディスカバリ要求を無線でブロードキャストし、前記プロトコルに従って、前記複数のノードの各々は、前記開始ユニットの所定の範囲内にある場合にのみ、前記開始ユニットからブロードキャストされるディスカバリ要求に応答するよう構成され、前記所定の範囲は、受信信号強度インジケータが所定の閾値を上回ることにより判断され、
前記開始ユニットの前記所定の範囲内にある1つ以上の範囲内ノードは各々、前記開始ユニットからのディスカバリ要求に応答し、それによって、無線ネットワークに参加する一方、前記ブロードキャストを受信するが、前記開始ユニットの前記所定の範囲外である1つ以上の範囲外ノードは、前記開始ユニットからのディスカバリ要求に応答せず、
1つ以上の前記範囲内ノードは、1つ以上の前記範囲外ノードによる受信のためディスカバリ要求を再ブロードキャストするために、中継ノードとして機能し、
1つ以上の前記範囲外ノードは各々、前記中継ノードの１つから再ブロードキャストされるディスカバリ要求に応答し、それによって、無線ネットワークに参加する、方法。
【請求項２】
1つ以上の前記範囲外ノードは各々、さらなる1つ以上の前記範囲外ノードによる受信のためディスカバリ要求を再ブロードキャストするために、中継ノードとして機能し、該ディスカバリ要求は、２つ以上のホップにわたって再ブロードキャストされ、該ディスカバリ要求の各インスタンスは、ブロードキャスト又はホップである再ブロードキャストであり、
1つ以上の前記範囲外ノードは各々、前記範囲外ノードである先行する中継ノードによって再ブロードキャストされるディスカバリ要求に応答し、それによって、無線ネットワークに参加する、請求項１に記載の方法。
【請求項３】
前記範囲外ノードの各々は、前記開始ユニットの所定数のホップ内にある場合にのみ再ブロードキャストされるディスカバリ要求に応答する、請求項２に記載の方法。
【請求項４】
前記範囲内ノードである中継ノードの各々は、ディスカバリ要求に残りのホップカウントを挿入し、前記残りのホップカウントは、ディスカバリ要求が、前記範囲外ノードである中継ノードのうちの1つによって再ブロードキャストされるたびにデクリメントされ、ディスカバリ要求を受信する前記範囲外ノードの各々は、再ブロードキャストされるディスカバリ要求で受信した残りのホップカウントに基づいて前記所定数のホップ内にあるかどうかを判断する、請求項３に記載の方法。
【請求項５】
前記範囲外ノードの各々は、当該範囲外ノードがパワーアップする、リセットされる又は以前のネットワークを離れる時からの指定された応答タイムウインドウ内に受信される場合にのみ再ブロードキャストされるディスカバリ要求に応答する、請求項１乃至４の何れか一項に記載の方法。
【請求項６】
前記応答タイムウインドウは、残りのホップカウントの関数である、請求項４に従属する請求項５に記載の方法。
【請求項７】
前記中継ノードの各々は、当該中継ノードがパワーアップする、リセットされる又は以前のネットワークを離れる時からの指定された中継タイムウインドウ内である場合にのみディスカバリ要求を再ブロードキャストする、請求項１乃至６の何れか一項に記載の方法。
【請求項８】
前記複数のノードのうちの1つ以上は、スイッチ、タイマ、センサ、又は遠隔制御ユニットのうちの1つである照明源以外のデバイスである、請求項１乃至７の何れか一項に記載の方法。
【請求項９】
前記範囲外ノードの各応答ノードが、対応する中継ノードからの対応する再ブロードキャストされるディスカバリ要求に応答する場合、当該応答ノードは、前記対応する中継ノードに対応する応答を送信し、前記対応する中継ノードは、前記開始ユニットに代わって前記応答ノードのネットワークへの参加を実行する、請求項１乃至８の何れか一項に記載の方法。
【請求項１０】
前記対応する中継ノードは、前記開始ユニットによって許可されるフリーアドレス範囲を委譲され、前記応答ノードをネットワークに参加させる場合に、前記対応する中継ノードは、前記応答ノードに、ネットワーク内で割り当てられるべき前記フリーアドレス範囲内のアドレスを割り当てる、請求項９に記載の方法。
【請求項１１】
前記プロトコルは、ZigBeeプロトコルである、請求項１乃至１０の何れか一項に記載の方法。
【請求項１２】
前記プロトコルは、ZigBee Light Linkである、請求項１１に記載の方法。
【請求項１３】
ネットワーク内で通信するための無線ノードであって、前記ネットワークの無線ネットワーキングプロトコルに従って動作するよう構成される無線ノードであり、当該無線ノードは、
前記無線ネットワーキングプロトコルを使用して無線でブロードキャストされるディスカバリ要求を受信する受信機であって、前記プロトコルに従って、当該無線ノードは、開始ユニットの所定の範囲内にある場合にのみ、前記開始ユニットからブロードキャストされるディスカバリ要求に応答するよう構成される、受信機、
当該無線ノードが前記所定の範囲内にあるかどうかを判断するよう構成される測定ユニット、及び
当該無線ノードが前記所定の範囲内にあると判断される場合ディスカバリ要求に応答し、当該無線ノードを前記無線ネットワークに参加させるよう構成されるトランシーバ、 を有し、
当該無線ノードは、1つ以上の範囲外ノードによる受信のためディスカバリ要求を再ブロードキャストするように、当該無線ノードが前記所定の範囲内にあると判断される場合中継ノードとして機能するよう構成される、無線ノード。
【請求項１４】
前記受信機は、再ブロードキャストされるディスカバリ要求に応答する前記範囲外ノードの少なくとも1つからの再ブロードキャストされるディスカバリ要求への応答を受信するよう構成され、当該無線ノードは、前記開始ユニットに代わって該範囲外ノードのネットワークへの参加を実行するよう構成される、請求項１３に記載の無線ノード。
【請求項１５】
無線ネットワークに潜在的に参加されるべき複数のノードであって、当該複数のノードの各々は、前記ネットワークの無線ネットワーキングプロトコルに従って動作するよう構成され、当該複数のノードの各々は、照明システムのコンポーネントデバイスであり、当該複数のノードのうちの少なくともいくつかは、照明源を備える、複数のノード、及び
前記無線ネットワーキングプロトコルを使用してディスカバリ要求を無線でブロードキャストするよう構成される開始ユニットであって、前記プロトコルに従って、前記複数のノードの各々は、当該開始ユニットの所定の範囲内にある場合にのみ、当該開始ユニットからブロードキャストされるディスカバリ要求に応答するよう構成される、開始ユニット、を有するシステムであって、
前記複数のノードの各々は、当該ノードが、前記開始ユニットの前記所定の範囲内の１つ以上の範囲内ノードのうちの１つであると判断する場合、前記開始ユニットからのディスカバリ要求に応答し、それにより、前記無線ネットワークに参加するが、当該ノードが、前記ブロードキャストを受信するが、前記開始ユニットの前記所定の範囲外にある１つ以上の範囲外ノードのうちの１つであると判断する場合、前記開始ユニットからのディスカバリ要求に応答しないよう構成され、
前記複数のノードの各々は、前記範囲内ノードの１つである場合、１つ以上の前記範囲外ノードによる受信のためディスカバリ要求を再ブロードキャストするために、中継ノードとして機能するよう構成され、
前記複数のノードの各々は、前記範囲外ノードの１つである場合、前記中継ノードの１つから再ブロードキャストされるディスカバリ要求に応答し、それにより、無線ネットワークに参加できるよう構成される、システム。